(57)【要約】【課題】入力される映像データに応じて、自装置の製品特徴を象徴する識別子、およびその識別子によって象徴されている製品特徴を説明した説明情報を適切な表示位置に配置できる表示装置を提供する。【解決手段】本発明に係るデジタルテレビ１は、入力された映像信号に基づく映像とともに、自装置が有する機能の特徴を象徴するロゴおよび特徴を説明する詳細情報を表示する。デジタルテレビ１は、映像信号に応じて、ロゴおよび詳細情報の表示画面上における表示位置をそれぞれ決定する表示位置決定部５４と、決定された表示位置にロゴおよび詳細情報のうち少なくとも一方を表示させた表示データを生成するＥＰＧ／ＯＳＤ予約処理部２４と、生成された表示データを表示する表示制御部および液晶表示装置７とを備える。【選択図】図１
2010107909.tif 000002
【特許請求の範囲】
【請求項１】
入力された映像信号に基づく映像とともに、自装置が有する機能の特徴を象徴した識別子および該特徴を説明する説明情報を表示する表示装置であって、
上記映像信号に応じて、上記識別子および上記説明情報の表示画面上における表示位置を決定する決定手段と、
上記決定手段によって決定された表示位置に表示させる上記識別子および上記説明情報の表示データを生成する生成部と、
上記生成部によって生成された表示データを上記決定手段によって決定された表示位置に表示する表示部とを備えることを特徴とする表示装置。
【請求項２】
上記映像信号に基づき表示される映像の表示アスペクト比に関する情報を、該映像信号を解析し取得する取得部をさらに備え、
上記決定手段は、上記取得部によって取得された上記映像の表示アスペクト比と、当該表示装置が有する表示アスペクト比とを比較して、表示画面上における映像が表示されない領域を特定し、この特定した領域を上記識別子および上記説明情報のうちの少なくとも一方を表示させるための表示位置として決定することを特徴とする請求項１に記載の表示装置。
【請求項３】
上記決定手段によって特定された表示画面上における映像が表示されない領域の大きさに応じて、表示させる上記識別子および上記説明情報の表示サイズをそれぞれ設定するサイズ設定手段をさらに備え、
上記生成部は、上記決定手段によって決定された表示位置に、上記サイズ設定手段によって設定された表示サイズで上記識別子および上記説明情報のうちの少なくとも一方が表示される表示データを生成することを特徴とする請求項２に記載の表示装置。
【請求項４】
上記映像信号に基づき表示される映像において重要度が高い情報が表示されている領域を探索する探索部をさらに備え、
上記決定手段は、上記探索部による探索結果に基づき、上記映像において重要度が高い情報が表示されている領域を特定し、この特定した領域上に上記識別子および上記説明情報が表示されないように表示位置を決定することを特徴とする請求項１に記載の表示装置。
【請求項５】
上記探索部は、上記映像において重要度が高い情報が表示されている領域として、該映像に重畳して表示される文字または図である字幕領域を探索することを特徴とする請求項４に記載の表示装置。
【請求項６】
上記識別子と上記説明情報との対応関係を示すテーブル情報を記憶する記憶部と、
上記識別子に対するユーザからの選択指示を受付ける受信手段と、
上記テーブル情報を参照して、受信した選択指示により選択された識別子に対応する説明情報を決定する説明情報決定手段と、を備え、
上記生成部は、上記決定手段によって決定された表示位置に上記説明情報決定手段によって決定した説明情報を表示させる表示データを生成することを特徴とする請求項１から５のいずれか１項に記載の表示装置。
【請求項７】
上記説明情報決定手段によって決定した上記説明情報を音声として出力する音声出力部をさらに備えることを特徴とする請求項６に記載の表示装置。
【請求項８】
上記映像信号に応じて、複数の上記識別子それぞれの表示画面上における配置を決定する識別子配置決定手段を備え、
上記生成部は、上記識別子配置決定手段によって決定された表示画面上における配置で上記識別子それぞれが表示されるように上記表示データを生成することを特徴とする請求項１から７のいずれか１項に記載の表示装置。
【請求項９】
入力された映像信号に基づく映像とともに、自装置が有する機能の特徴を象徴した識別子および該特徴を説明する説明情報を表示する表示装置の制御方法であって、
上記映像信号に応じて、上記識別子および上記説明情報の表示画面上における表示位置を決定する決定ステップと、
上記決定ステップにおいて決定された表示位置に表示させる上記識別子および上記説明情報の表示データを生成する生成ステップと、
上記生成ステップにおいて生成された表示データを上記決定ステップにて決定された表示位置に表示する表示ステップとを含むことを特徴とする表示装置の制御方法。
【請求項１０】
コンピュータを請求項１から８のいずれか１項に記載の表示装置の各手段として機能させるための表示装置の制御プログラム。
【請求項１１】
請求項１０に記載の表示装置の制御プログラムを記録したコンピュータ読み取り可能な記録媒体。
【発明の詳細な説明】
【技術分野】
【０００１】
本発明は、入力された映像信号に基づく映像とともに、自装置が有する機能の特徴を象徴する識別子および該特徴を説明する説明情報を表示する表示装置、表示装置の制御方法、表示装置の制御プログラム、および表示装置の制御プログラムを記録した記録媒体に関するものである。
【背景技術】
【０００２】
近年、薄型テレビの需要は、国内外ともに旺盛な消費マインドに押され伸びている。特に、米国市場では、２００９年２月以降に、わが国においても２０１１年以降に完全にデジタル放送に移行するため、さらなる買い替え需要が見込まれる。
【０００３】
このような薄型テレビの需要拡大を見越し、各製造メーカは、薄型テレビの新製品を市場に続々と投入している。そして、店頭では、他社製品との差別化を図り、商品特徴を視覚的にアピールするために様々な工夫がなされている。例えば、商品特徴をアピールする有効な方法としては、紙を広告媒体として商品の特徴等を記入したＰＯＰ（Point of purchase advertising）表示用ラベルの利用が挙げられる。
【０００４】
また、多機能化する製品の性能についての情報は、店員の口頭による説明か、製品脇に配置された紙媒体であるカタログにより提供される。
【０００５】
上述のような、紙媒体を利用した広告、製品の説明は、その製造および廃棄において、印刷費用やリサイクル費用など様々なコストがかかる。さらに、上記カタログの生産量は世界規模の市場で見ると各製造メーカの製品モデル毎に多量に生産されているが、不使用になった後廃棄時にカタログを燃やされることによる二酸化炭素（ＣＯ２）の排出や、リサイクルする場合に溶剤でカタログの印字を溶かすための廃液処分等は近年の地球環境負荷の増大につながるリスクがある。一方では、地球温暖化の一因にもなってきている二酸化炭素を含む温室効果ガスの削減目標が世界規模で設定され、各国でその取組みがおこなわれている。これらの環境問題に対して各製造メーカとも地球規模でこれらの環境負荷の増大を抑制しなければならない課題も存在している。
【０００６】
そこで、特許文献１では、ＷｅｂデータのＵＲＬ等を図形コード化して画面上に表示させる表示装置が開発されている。特許文献１の表示装置では、携帯電話機が、この表示装置の画面上に表示されている２次元コードを読取り、該２次元コードから得られるＵＲＬ先にアクセスしＷｅｂデータを取得する。そして、この携帯電話機は、取得したＷｅｂデータを表示することができる。このため、所望のＷｅｂデータにアクセスできる２次元コードを表示装置の画面上に表示しておくことで、携帯電話機を利用してこのＷｅｂデータから必要な情報を得ることができる。
【０００７】
また、特許文献２では、広告情報の表示としてポップアップが表示され、該ポップアップを選択するとポップアップのデータに含まれるＵＲＬの広告主サーバにアクセスして広告を表示する広告表示装置が開示されている。特許文献２では、表示されているポップアップを選択することで広告を表示することができる。この広告表示装置では、ポップアップを選択することで製品の広告用の情報を表示できるため、広告宣伝用にＰＯＰ表示用ラベル等の紙媒体を準備する必要がない。
【特許文献１】特開２００７−０２５９４３号公報（２００７年０２月０１日公開）
【特許文献２】特開２００７−２３３８６５号公報（２００７年０９月１３日公開）
【発明の開示】
【発明が解決しようとする課題】
【０００８】
しかしながら、上記従来の構成では、表示装置が搭載する機能の種別やその内容、すなわち製品特徴を画面上に表示して一目で容易に理解できるように表示できないという問題が生じる。さらには、表示装置は、製品特徴を把握するために利用する製品特徴を象徴した識別子およびその識別子によって象徴されている製品特徴を説明した説明情報を、表示画面上の適切な位置に配置し表示することができないという問題も生じる。
【０００９】
具体的には、販売店の店頭では各社の様々な機能を搭載した薄型テレビが多品種陳列され、実際のリアルタイム映像を表示したデモが行なわれている。近年、各社とも、類似の機能を搭載して類似のリアルタイム映像を表示しているため、他社製品との差別化を図ることが困難となっている。そこで、購買者が、薄型テレビに搭載されている機能の種別やその内容を一目で理解できるように画面上に表示する技術が望まれていた。ところが、従来の構成では、広告用の情報を取得することができるが、一目して表示装置が有する多種多様な機能を購買者が理解できるように表示することはできない。
【００１０】
さらにまた、上記従来の構成では、上記識別子、および識別子に対応する説明情報の配置を、入力される映像データに応じて適切な位置に変更できない。
【００１１】
本発明は、上記の問題点に鑑みてなされたものであり、その目的は、表示装置が有する多種多様な機能を一目で容易に理解できるように表示するとともに、入力される映像データに応じて、製品特徴を把握するために利用する自装置の特徴を象徴する識別子、およびその識別子によって象徴されている特徴を説明した説明情報を適切な表示位置に配置できる表示装置、表示装置の制御方法、表示装置の制御プログラム、および表示装置の制御プログラムを記録した記録媒体を実現することにある。
【課題を解決するための手段】
【００１２】
本発明に係る表示装置は、上記した課題を解決するために、入力された映像信号に基づく映像とともに、自装置が有する機能の特徴を象徴した識別子および該特徴を説明する説明情報を表示する表示装置であって、上記映像信号に応じて、上記識別子および上記説明情報の表示画面上における表示位置を決定する決定手段と、上記決定手段によって決定された表示位置に表示させる上記識別子および上記説明情報の表示データを生成する生成部と、上記生成部によって生成された表示データを上記決定手段によって決定された表示位置に表示する表示部とを備えることを特徴とする。
【００１３】
ところで、上記映像信号に基づく映像とは、動画像および静止画像を含むものである。また、上記識別子とは、キャラクターのような図柄や特徴を端的に表現した用語で表現された、例えばロゴ等の表示記号によって実現できる。すなわち、識別子は、他の特徴（機能）を象徴した識別子と区別でき、かつ特徴を端的に表現したものであればよい。
【００１４】
上記した構成によると、決定手段を備えているため、入力された映像信号に応じて、上記識別子および上記説明情報それぞれの表示位置を決定することができる。また、生成部と表示部とを備えるため、決定手段によって決定した表示位置に表示させる上記識別子および上記説明情報の表示データを生成し、そしてこの表示データを表示させることができる。
【００１５】
このように、本発明に係る表示装置は、上記識別子および説明情報の表示画面上における表示位置を、入力された映像信号に応じて変更することができる。また、これら識別子および説明情報によって自装置が有する機能を表示し、ユーザに提示することができる。
【００１６】
したがって、本発明に係る表示装置は、表示装置が有する多種多様な機能を一目で容易に理解できるように表示するとともに、入力される映像データに応じて、製品特徴を把握するために利用する自装置の特徴を象徴する識別子、およびその識別子によって象徴されている特徴を説明した説明情報を適切な表示位置に配置できるという効果を奏する。
【００１７】
本発明に係る表示装置は、上記した構成において、上記映像信号に基づき表示される映像の表示アスペクト比に関する情報を、該映像信号を解析し取得する取得部をさらに備え、上記決定手段は、上記取得部によって取得された上記映像の表示アスペクト比と、当該表示装置が有する表示アスペクト比とを比較して、表示画面上における映像が表示されない領域を特定し、この特定した領域を上記識別子および上記説明情報のうちの少なくとも一方を表示させるための表示位置として決定するように構成されていてもよい。
【００１８】
上記した構成によると、取得部を備えているため、入力された映像信号に基づき表示される映像の表示アスペクト比に関する情報を取得することができる。また、決定手段を備えているため、この取得した映像の表示アスペクト比と、当該表示装置の表示アスペクト比とを比較し、表示画面上において映像が表示されない領域を特定することができる。そして、決定手段は、この特定した映像が表示されない領域を上記識別子および上記説明情報のうちの一方を表示させるための表示位置として決定することができる。
【００１９】
このように、映像が表示されない領域に識別子および説明情報を配置させることができるため、識別子および説明情報のうちの少なくとも一方の表示によって、映像を遮ってしまう様な表示状態となることを防ぐことができる。
【００２０】
本発明に係る表示装置は、上記した構成において、上記決定手段によって特定された表示画面上における映像が表示されない領域の大きさに応じて、表示させる上記識別子および上記説明情報の表示サイズをそれぞれ設定するサイズ設定手段をさらに備え、上記生成部は、上記決定手段によって決定された表示位置に、上記サイズ設定手段によって設定された表示サイズで上記識別子および上記説明情報のうちの少なくとも一方が表示される表示データを生成するように構成されていてもよい。
【００２１】
上記した構成によると、サイズ設定手段をさらに備えるため、上記決定手段によって決定された表示位置に、適切なサイズで識別子および上記説明情報のうちの少なくとも一方を表示することができる表示データを生成することができる。
【００２２】
本発明に係る表示装置は、上記した構成において、上記映像信号に基づき表示される映像において重要度が高い情報が表示されている領域を探索する探索部をさらに備え、上記決定手段は、上記探索部による探索結果に基づき、上記映像において重要度が高い情報が表示されている領域を特定し、この特定した領域上に上記識別子および上記説明情報が表示されないように表示位置を決定するように構成されていてもよい。
【００２３】
上記重要度が高い情報が表示されている領域とは、映像の中でも得にユーザに伝える情報価値が高い表示を含む部分であり、表示されている映像においてその表示が妨げられると不都合が生じる情報を含むものである。例えば、スポーツ番組においてスコアが表示されている領域、緊急速報を示す字幕が流れている領域などが挙げられる。
【００２４】
上記した構成によると、探索部を備えているため、入力された映像信号に基づき表示された映像において、重要度が高い情報が表示されている領域を探索することができる。そして、決定手段は、探索部による探索結果に基づき、重要度が高い情報が表示されている領域を特定し、この領域上に識別子および説明情報が表示されないように表示位置を決定することができる。このため、重要度が高い情報が、識別子および説明情報の表示により妨げられることを防ぐことができる。
【００２５】
本発明に係る表示装置は、上記した構成において、上記探索部は、上記映像において重要度が高い情報が表示されている領域として、該映像に重畳して表示される文字または図である字幕領域を探索するように構成されていてもよい。
【００２６】
上記した構成によると、上記探索部が、上記映像において重要度が高い情報が表示されている領域として、映像に重畳して表示される文字または図である字幕領域を探索することができるため、この字幕領域に識別子および説明情報を重畳して表示してしまうことを防ぐことができる。
【００２７】
本発明に係る表示装置は、上記した構成において、上記識別子と上記説明情報との対応関係を示すテーブル情報を記憶する記憶部と、上記識別子に対するユーザからの選択指示を受付ける受信手段と、上記テーブル情報を参照して、受信した選択指示により選択された識別子に対応する説明情報を決定する説明情報決定手段と、を備え、上記生成部は、上記決定手段によって決定された表示位置に上記説明情報決定手段によって決定した説明情報を表示させる表示データを生成するように構成されていてもよい。
【００２８】
上記した構成によると、記憶部、受信手段、説明情報決定手段を備えているため、ユーザからの選択指示により選択された識別子に対応する説明情報を決定することができる。また、生成部が上記決定手段によって決定した表示位置に上記説明情報決定手段によって決定した説明情報を表示させる表示データを生成することができるため、ユーザが所望する説明情報を適切な位置に表示することができる。
【００２９】
本発明に係る表示装置は、上記した構成において、上記説明情報決定手段によって決定した上記説明情報を音声として出力する音声出力部をさらに備えるように構成されていてもよい。
【００３０】
上記した構成によると、音声出力部を備えているため、音声によっても説明情報を通知することができる。
【００３１】
本発明に係る表示装置は、上記した構成において、上記映像信号に応じて、複数の上記識別子それぞれの表示画面上における配置を決定する識別子配置決定手段を備え、上記生成部は、上記識別子配置決定手段によって決定された表示画面上における配置で上記識別子それぞれが表示されるように上記表示データを生成するように構成されていてもよい。
【００３２】
上記した構成によると、識別子配置決定手段を備えているため、入力された映像信号に応じて識別子の表示画面上の配置を決定することができる。例えば、入力された映像信号に基づく映像が、表示上の動きが激しい映像である場合、表示上の動きが早い場合であっても映像をスムーズに再生できる機能を象徴する識別子を優先的に選択できるような位置に表示することができる。
【００３３】
このように、本発明に係る表示装置は、入力された映像信号に応じて、複数の識別子を適切な配置で表示することができる。
【００３４】
本発明に係る表示装置の制御方法は、上記した課題を解決するために、入力された映像信号に基づく映像とともに、自装置が有する機能の特徴を象徴した識別子および該特徴を説明する説明情報を表示する表示装置の制御方法であって、上記映像信号に応じて、上記識別子および上記説明情報の表示画面上における表示位置を決定する決定ステップと、上記決定ステップにおいて決定された表示位置に表示させる上記識別子および上記説明情報の表示データを生成する生成ステップと、上記生成ステップにおいて生成された表示データを上記決定ステップにて決定された表示位置に表示する表示ステップとを含むことを特徴とする。
【００３５】
ところで、上記映像信号に基づく映像とは、動画像および静止画像を含むものである。また、上記識別子とは、キャラクターのような図柄や特徴を端的に表現した用語で表現された、例えばロゴ等の表示記号によって実現できる。すなわち、識別子は、他の特徴（機能）を象徴した識別子と区別でき、かつ特徴を端的に表現したものであればよい。
【００３６】
上記した方法によると、決定ステップを含むため、入力された映像信号に応じて、上記識別子および上記説明情報それぞれの表示位置を決定することができる。また、生成ステップと表示ステップとを含むため、決定ステップにて決定した表示位置に表示させる上記識別子および上記説明情報の表示データを生成し、そしてこの表示データを表示させることができる。
【００３７】
このように、本発明に係る表示装置の制御方法は、上記識別子および説明情報の表示画面上における表示位置を、入力された映像信号に応じて変更することができる。また、これら識別子および説明情報によって自装置が有する機能を表示し、ユーザに提示することができる。
【００３８】
したがって、本発明に係る表示装置の制御方法は、表示装置が有する多種多様な機能を一目で容易に理解できるように表示するとともに、入力される映像データに応じて、製品特徴を把握するために利用する自装置の特徴を象徴する識別子、およびその識別子によって象徴されている特徴を説明した説明情報を適切な表示位置に配置できるという効果を奏する。
【００３９】
なお、上記表示装置は、コンピュータによって実現してもよく、この場合には、コンピュータを上記各手段として動作させることにより上記表示装置をコンピュータにて実現させる表示装置の制御プログラム、およびそれを記録したコンピュータ読み取り可能な記録媒体も、本発明の範疇に入る。
【発明の効果】
【００４０】
本発明に係る表示装置は、以上のように、入力された映像信号に基づく映像とともに、自装置が有する機能の特徴を象徴した識別子および該特徴を説明する説明情報を表示する表示装置であって、上記映像信号に応じて、上記識別子および上記説明情報の表示画面上における表示位置を決定する決定手段と、上記決定手段によって決定された表示位置に表示させる上記識別子および上記説明情報の表示データを生成する生成部と、上記生成部によって生成された表示データを上記決定手段によって決定された表示位置に表示する表示部とを備えることを特徴とする。
【００４１】
したがって、本発明に係る表示装置は、表示装置が有する多種多様な機能を一目で容易に理解できるように表示するとともに、入力される映像データに応じて、製品特徴を把握するために利用する自装置の特徴を象徴する識別子、およびその識別子によって象徴されている特徴を説明した説明情報を適切な表示位置に配置できるという効果を奏する。
【００４２】
本発明に係る表示装置の制御方法は、以上のように、入力された映像信号に基づく映像とともに、自装置が有する機能の特徴を象徴した識別子および該特徴を説明する説明情報を表示する表示装置の制御方法であって、上記映像信号に応じて、上記識別子および上記説明情報の表示画面上における表示位置を決定する決定ステップと、上記決定ステップにおいて決定された表示位置に表示させる上記識別子および上記説明情報の表示データを生成する生成ステップと、上記生成ステップにおいて生成された表示データを上記決定ステップにて決定された表示位置に表示する表示ステップとを含むことを特徴とする。
【００４３】
したがって、本発明に係る表示装置の制御方法は、表示装置が有する多種多様な機能を一目で容易に理解できるように表示するとともに、入力される映像データに応じて、製品特徴を把握するために利用する自装置の特徴を象徴する識別子、およびその識別子によって象徴されている特徴を説明した説明情報を適切な表示位置に配置できるという効果を奏する。
【発明を実施するための最良の形態】
【００４４】
本発明の一実施形態について図１ないし図１０に基づいて説明すると以下の通りである。すなわち、本実施の形態に係るデジタルテレビ１は、放送局から受信した放送信号に基づく放送番組を再生したり、外部入力部６を介して外部機器から入力された映像信号に基づく映像を再生したりするものである。
【００４５】
また、本実施の形態荷係るデジタルテレビ１は、ＣＤ、ＤＶＤ、およびBlu-ray Disc（登録商標）等の光ディスク３１に記録された映像データを読み取る記録／再生部４を備えており、記録／再生部４によって読み取られた映像データを外部入力部６に入力する。このように外部入力部６に光ディスク３１に記録された映像データが入力されると、デジタルテレビ１はこの映像データに基づく映像を再生することもできる。なお、この記録／再生部４は、ＣＰＵ３０からの制御指示により光ディスク３１に記録されたデータの読み取りを実行する。
【００４６】
また、本実施の形態に係るデジタルテレビ１は、図２に示すように、ＯＳＤ表示機能を利用して、当該デジタルテレビ１が有する特徴（機能、特色等）を表す識別子としてロゴ１００・・・を表示画面上に表示することができる。このロゴ１００・・・は、キャラクターのような図柄で表現されていてもよいし、特徴を端的に表現した用語で表現されていてもよい。また、このロゴ１００は、当該デジタルテレビ１で実行可能な処理の内容や対象を小さな絵や記号で表現したアイコンのようなものであってもよい。
【００４７】
すなわち、ロゴ１００は、他の特徴（機能）を示すロゴ１００と区別でき、かつデジタルテレビ１が有する機能、特徴、実行可能な処理内容等を端的に表現したものであればよい。
【００４８】
そして、表示されているロゴ１００・・・の中から特定のロゴ１００が選択された場合、該ロゴ１００によって表されている特徴（機能または特色）に関する詳細な説明（詳細情報１０２）がテキスト表示されるように構成されている。
【００４９】
したがって、デジタルテレビ１は、店頭に陳列される際、紙媒体のＰＯＰ表示用ラベル等を貼り付ける必要がなく、ロゴ１００とその詳細情報１０２により、ＰＯＰ表示用ラベルに記載する情報を伝達することができる。
【００５０】
なお、店頭に配備され、ロゴ１００および詳細情報１０２を表示画面上に表示している状態をデモモードと称する。このデモモードは、店頭陳列時のみならず、購入後にも自由に設定できるようになっている。このため、デジタルテレビ１の購入後であっても該デジタルテレビ１が有する特徴を、ロゴ１００の中から簡単に探索でき、また詳細情報によりロゴ１００で象徴している特徴についての詳細情報１０２を確認することができる。
【００５１】
図２は、本発明の実施形態を示すものであり、デジタルテレビ１の表示画面上におけるロゴ１００および詳細情報１０２の表示形式の一例を示す図である。
【００５２】
以下において、本実施の形態に係るデジタルテレビ１の要部構成について図３を参照して説明する。図３は、本発明の実施形態を示すものであり、デジタルテレビ１の要部構成を示すブロック図である。
【００５３】
図３に示すように、デジタルテレビ１は、記録/再生部４、外部入力部６、液晶表示装置７，スピーカ８，アナログ放送用アンテナ９，デジタル放送用アンテナ１０，アナログチューナー部１１，ＡＶスイッチ部１２，デジタルチューナー部１３，デジタル復調部１４，分離部（ＤＭＵＸ）１５，ビデオデコード／キャプチャ部１６，ビデオセレクタ部１７，映像処理部１８，表示制御部１９，オーディオデコード部２０，オーディオセレクタ部２１，音声出力制御部２２，選局部２３，ＥＰＧ／ＯＳＤ予約処理部２４，リモコン受光部２５，通信制御部２７，メモリ２８，ＩＰ放送チューナ部２９，およびＣＰＵ（central processing unit）３０を備えてなる構成である。なお、表示制御部１９と液晶表示装置７とによって本発明の表示部を実現する。
【００５４】
アナログチューナー部１１は、アナログ放送用アンテナ９を介して受信する放送信号を選局するものである。アナログチューナー部１１は、放送信号の選局を、選局部２３からの選局指示に応じて行う。
【００５５】
ＡＶスイッチ部１２は、アナログチューナー部１１によって選局された放送信号から音声信号／映像信号を抽出するものである。ＡＶスイッチ部１２は、抽出した音声信号をオーディオセレクタ部２１に、映像信号をビデオセレクタ部１７に送信する。
【００５６】
デジタルチューナー部１３は、デジタル放送用アンテナ１０を介して受信する、特定の放送信号を選局するものである。デジタルチューナー部１３は、この放送信号の選局を、選局部２３からの選局指示に応じて行う。
【００５７】
デジタル復調部１４は、選局されたデジタル放送の放送信号を復調するものである。デジタル復調部１４は、デジタルチューナー部１３から入力された放送信号を復調して得られたデータを、分離部（ＤＭＵＸ）１５に出力する。
【００５８】
ＩＰ放送チューナ部２９は、選局部２３からの選局指示に応じて、後述する通信制御部２７を介して受信するＩＰ放送の放送信号を選局するものである。ＩＰ放送チューナ部２９は特定の放送信号を選局し、受信した放送信号を分離部（ＤＭＵＸ）１５に出力する。
【００５９】
分離部（ＤＭＵＸ）１５は、デジタル復調部１４またはＩＰ放送チューナ部２９から入力された、多重化された信号を、映像信号および音声信号それぞれに分離するものである。さらにまた分離部（ＤＭＵＸ）１５は、放送信号に含まれるＥＰＧデータ等の放送波データを抽出するものでもある。分離部（ＤＭＵＸ）１５は、分離した映像信号をビデオデコード／キャプチャ部１６に、音声信号をオーディオデコード部２０に、放送波データをＥＰＧ／ＯＳＤ予約処理部２４にそれぞれ送信する。また、分離部（ＤＭＵＸ）１５によって抽出された放送波信号は、必要に応じてＣＰＵ３０による書き込み制御によってメモリ２８に記録される。
【００６０】
ビデオデコード／キャプチャ部１６は、分離部（ＤＭＵＸ）１５によって分離された映像信号をデコードしたり、映像信号に含まれるビデオ情報を静止画としてキャプチャしたりするものである。ビデオデコード／キャプチャ部１６は、デコードした映像信号をビデオセレクタ部１７に送信する。
【００６１】
ビデオセレクタ部１７は、外部入力部６から入力された映像信号、アナログ放送用アンテナ９で受信した映像信号、またはデジタル放送用アンテナ１０で受信した映像信号のうち、いずれの信号を出力するのか選択し、その出力を切り替えるものである。この切り替えは、ＣＰＵ３０からの制御指示に応じて行われる。選択された映像信号は、映像処理部１８に出力される。
【００６２】
映像処理部１８は、ビデオセレクタ部１７から入力された映像信号に対して、例えば、ノイズリダクション、シャープネスの調整、コントラストの調整等の映像処理を行い、液晶表示装置７にて適切な形で表示できる映像データへと変換するものである。映像処理部１８は、映像処理後の映像データを表示制御部１９に出力する。
【００６３】
また、映像処理部１８は、映像処理を実行するにあたり、映像信号から、該映像信号に基づき表示した画像の表示アスペクト比に関する情報を取得している。そこで、映像処理部１８は、映像信号の表示アスペクト比に関する情報を取得した場合、この情報を、ＣＰＵ３０に出力する。
【００６４】
さらにまた映像処理部１８は、入力された映像信号が野球等のスポーツ番組である場合、ビデオデコード／キャプチャ部１６によりキャプチャされた静止画に対して、スコアの表示部分をパターンマッチングにより検出するものでもある。映像処理部１８は、スコアが記載されている領域を検出すると、該領域に関する情報を表示位置決定部５４に送信する。
【００６５】
表示制御部１９は、入力された映像データを、液晶表示装置７に出力して表示させるように制御するものである。なお、表示制御部１９は、上記映像データを、後述するＥＰＧ／ＯＳＤ予約処理部２４によって作成された電子番組表（ＥＰＧ；Electronic Program Guide）、あるいはＯＳＤ（オン・スクリーン・ディスプレイ）表示データと合わせて上記映像データを出力することができる。
【００６６】
オーディオデコード部２０は、分離部（ＤＭＵＸ）１５によって分離された音声信号をデコードするものである。オーディオデコード部２０は、デコードした音声信号をオーディオセレクタ部２１に出力する。
【００６７】
オーディオセレクタ部２１は、外部入力部６から入力された音声信号、アナログ放送用アンテナ９で受信した音声信号、またはデジタル放送用アンテナ１０で受信した音声信号のうちいずれを出力するのか選択し、その出力を切り替えるものである。この切り替えは、ＣＰＵ３０からの制御指示に応じて行われる。選択された音声信号は、音声出力制御部２２に出力される。音声出力制御部２２は、入力された音声信号をスピーカ８から出力できる形式に変換し、該スピーカ８に出力する。
【００６８】
ＥＰＧ／ＯＳＤ予約処理部２４は、定期的に更新保存されたＥＰＧデータに基づき電子番組表を作成したり、メモリ２８に予め保存さているＯＳＤ用画像データ６０に基づきＯＳＤ表示データを生成したりするものである。なお、このＯＳＤ用画像データ６０とは、予めメモリ２８に用意されたデータであり、設定メニュー画面、ＰＯＰ表示画面（ロゴ１００・・・）、音量ケージ、現在時刻、選局チャンネルなどの各種情報を描画するためのものである。
【００６９】
また、ＥＰＧ／ＯＳＤ予約処理部２４は、ＣＰＵ３０からの指示に応じて、描画する各種情報の液晶表示装置７の表示画面上における表示位置等のレイアウトも決定する。ＥＰＧ／ＯＳＤ予約処理部２４は、この作成した電子番組表や、ＯＳＤ表示データを出力する。なお、ＥＰＧ／ＯＳＤ予約処理部２４から出力されたＯＳＤ表示データは、映像処理部１８から出力される映像データに加算回路によって加えられ、表示制御部１９に出力される。
【００７０】
リモコン受光部２５は、リモートコントローラ５から出力された光信号を受信し、該リモートコントローラ５からの制御指示を受付けるためのものである。受付けた制御指示は、ＣＰＵ３０に送信する。
【００７１】
通信制御部２７は、電話回線、ＬＡＮ、インターネット等のネットワーク網、あるいはＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル等を介して外部機器との通信を確立させるように制御を行うものである。ただし、この外部機器との接続媒体は、上述したネットワーク網、またはＨＤＭＩケーブに限定されるものではない。
【００７２】
メモリ２８は、書き換え可能な不揮発性のメモリであって、例えば、フラッシュメモリ等によって実現できる。このメモリ２８には、特に図示しないがＣＰＵ３０が読み出し、各種制御を実行するためのプログラムが記憶されている。また、メモリ２８には、放送波を介して受信したＥＰＧデータ等の番組情報に関するデータも記憶されている。さらには、上述したようにＯＳＤ表示を行う際にＥＰＧ／ＯＳＤ予約処理部２４が読み出す、ＯＳＤ用画像データ６０、後述するロゴ詳細情報対応テーブル６１も記憶されている。
【００７３】
ＣＰＵ３０は、デジタルテレビ１が備える各部の各種制御を実行するためのものである。ＣＰＵ３０は、メモリ２８あるいは不図示のハードディスク等に記録したプログラムをＲＡＭ等に読み出し実行することで各種機能を実現することができる。
【００７４】
（ＰＯＰ表示処理に係る構成）
次に、上述した構成を有するデジタルテレビ１の、ＰＯＰ表示処理に係るソフトウェア構成について図１を参照して説明する。図１は、本発明の実施形態を示すものであり、ＰＯＰ表示処理に係るソフトウェア構成を示すブロック図である。
【００７５】
デジタルテレビ１は、図１に示すように、メモリ２８には、上述したＯＳＤ用画像データ６０およびロゴ詳細情報対応テーブル６１が記憶されている。ロゴ詳細情報対応テーブル６１は、図４に示すように、デジタルテレビ１が有する各特徴を象徴した識別子であるロゴ１００と、そのロゴ１００を選択した場合に表示画面の所望の位置に表示される詳細情報１０２との対応関係を示すテーブルデータである。
【００７６】
本実施のデジタルテレビ１では、このロゴ詳細情報対応テーブル６１を参照することで、例えば、「４２Ｉｎｃｈ」というロゴ１００（図４においてテンキー１に対応するロゴ）が選択されると、詳細情報１０２として、このデジタルテレビ１の画面サイズが「４２Ｉｎｃｈ」であることを報知するとともに、画面サイズが「４２Ｉｎｃｈ」のデジタルテレビ１を設置して視聴する場合の最適な空間情報（部屋の広さ）を示す情報を提示することができる。また、例えば、テレビのイメージ画像と一体に再生対応ディスクとその着脱状態が描かれたロゴ１００（図４においてテンキー３に対応するロゴ）が選択されると、デジタルテレビ１がディスク再生機能一体型のテレビであり、そのテレビにて使用可能な光ディスク３１の種別についての情報を、詳細情報１０２として、一目で分かるように提示することができる。
【００７７】
なお、本実施の形態に係るデジタルテレビ１では、各ロゴ１００は、後述するように選択枠１０１によって囲まれた状態でリモートコントローラ５の決定キーを押下することで選択できる構成である。また、各ロゴ１００をリモートコントローラ５のテンキーの押下によっても選択できるように、ロゴ１００にはそれぞれ各キーの数字が割り当てられている。
【００７８】
また図１に示すように、デジタルテレビ１は、ＰＯＰ表示処理に係る機能ブロックとして、ＰＯＰ表示制御部５０を備え、該ＰＯＰ表示制御部５０が、指示受信部５１，表示パターン決定部５２，詳細情報出力決定部５３，表示位置決定部５４，メニュー内容決定部５５，輝度調整部５６，およびサイズ設定部５７を有する。これら機能ブロックは、ＣＰＵ３０が不図示のＲＯＭに記憶されたＰＯＰ表示処理に係るプログラムを不図示のＲＡＭに読出し、実行することで実現できる。
【００７９】
指示受信部５１は、リモートコントローラ５から入力された、ユーザからの指示を、リモコン受光部２５を介して受信するものである。指示受信部５１は、表示画面に表示するＰＯＰ表示（ロゴ１００・・・）の表示パターンの変更に関する指示を受信した場合、該指示を表示パターン決定部５２に送信する。一方、特定のロゴ１００が選択され、該ロゴ１００に対応する詳細情報１０２の表示指示を受信した場合は、指示受信部５１は、該指示を詳細情報出力決定部５３に送信する。
【００８０】
表示パターン決定部５２は、指示受信部５１から受信した、ＰＯＰ表示（ロゴ１００・・・）の表示パターンの変更に関する指示に応じて、あるいは、ビデオセレクタ部１７から受信した映像信号の取得経路に関する情報に応じて、ＰＯＰ表示におけるロゴ１００の表示パターンを決定するものである。表示パターン決定部５２は、決定した表示パターンでロゴ１００・・・を表示するように、ＥＰＧ／ＯＳＤ予約処理部２４に指示するとともに、ＯＳＤ用画像データ６０の中から表示するロゴ１００・・・の画像データを読出し、出力する。
【００８１】
なお、上記ＰＯＰ表示の表示パターンとしては、表示画面上に配置された複数のロゴ１００・・・の表示パターン（ＰＯＰ表示の表示パターン）と、ロゴ１００の選択状態を示す、例えば、特定のロゴ１００を囲む枠（選択枠１０１）の表示パターンが挙げられる。この選択枠１０１の表示パターンとしては、選択枠１０１がスクロールして移動していく順番、選択枠１０１が次のロゴ１００に移動するタイミングなどが挙げられる。また、上記ＰＯＰ表示の表示パターンとしては、ロゴ１００・・・を表示する領域の背景色、ロゴ１００・・・を表記する文字フォントなども含まれる。さらには、上記ＰＯＰ表示の表示パターンとしては、表示する各ロゴ１００の位置関係や、映像信号の取得経路に応じて優先的に表示する所定のロゴ１００の組み合わせ等も含まれる。
【００８２】
なお、上記映像信号の取得経路に関する情報とは、該映像信号が、デジタル放送の放送信号から得られたものであるのか、アナログ放送の放送信号から得られたものであるのか、ＩＰ放送の放送信号から得られたものであるのか、外部機器から入力されたものであるのかなどを示す情報である。
【００８３】
また表示パターン決定部５２は、デジタル放送により配信された放送信号を受信した場合、この放送信号からジャンル情報を取得し、該ジャンル情報から映像を最適に表示するために利用できる特徴（機能）を示すロゴ１００を優先するように、各ロゴ１００の配置の優先順位を決定するものでもある。
【００８４】
詳細情報出力決定部５３は、指示受信部５１から受信した、ロゴ１００の選択指示に応じて、ロゴ詳細情報対応テーブル６１を参照して、選択されたロゴ１００に対応する詳細情報１０２を決定するものである。詳細情報出力決定部５３は、出力する詳細情報１０２を決定すると、その情報をＥＰＧ／ＯＳＤ予約処理部２４に送信し、ＯＳＤ表示するように指示する。
【００８５】
表示位置決定部５４は、映像処理部１８から、映像信号の表示アスペクト比を含む情報を受信すると、その情報に応じて、表示画面上におけるロゴ１００・・・を表示する表示位置および詳細情報１０２の表示位置を決定するものである。
【００８６】
なお、映像信号の表示アスペクト比とは、映像信号をそのまま表示した場合のアスペクト比を意味する。映像信号の表示アスペクト比が、液晶表示装置７の表示アスペクト比と異なる場合、黒帯状の映像が表示されない領域が生じる。表示位置決定部５４は、この映像が表示されない領域を、ロゴ１００・・・を表示する表示位置と決定する。すなわち、表示位置決定部５４は、受信した映像信号の表示アスペクト比を、液晶表示装置７の表示アスペクト比と比較して、表示画面上に映像が表示されない領域を特定する。そして、表示位置決定部５４は、上記特定した領域をロゴ１００・・・の表示位置として決定すると、ロゴ１００・・・が決定した配置に描画されるようにＥＰＧ／ＯＳＤ予約処理部２４に指示する。
【００８７】
さらには、表示位置決定部５４は、上記映像が表示されない領域を、詳細情報１０２を表示する表示位置としてもよい。すなわち、表示位置決定部５４は、この特定した領域を、上記詳細情報出力決定部５３によって出力が決定された詳細情報１０２の表示位置として決定すると、詳細情報１０２がこの決定した配置に描画されるようにＥＰＧ／ＯＳＤ予約処理部２４に指示する。
【００８８】
ただし、上記詳細情報１０２の表示については、ロゴ１００・・・と同様に、上記映像が表示されない位置に表示させる場合と、映像に重畳させて表示させる場合とが考えられる。つまり、詳細情報１０２は、下記の理由により映像に重畳させて表示した方が好ましい場合がある。
【００８９】
すなわち、詳細情報１０２は、ロゴ１００・・・とは異なり、常時表示せず、特定のロゴ１００・・・の選択に応じて一時的に表示される表示形式とすることもできる。このような一時的な表示の場合、詳細情報１０２を映像と重畳させたとしても、映像が視聴できない期間が短いため大きな問題とはならない。また、詳細情報１０２は、ロゴ１００・・・と異なり表示すべき情報が多いため、大きな表示領域が必要となる場合が想定され、映像が表示されない領域として特定された領域内に収まらない場合がある。
【００９０】
なお、本実施の形態にデジタルテレビ１では、詳細情報１０２を映像と重畳させて表示させるか、映像が表示されない位置に表示させるかについては、予めユーザからの操作指示に応じて設定できるように構成されている。そして、映像と重畳させて表示させる場合は、表示位置決定部５４は、詳細情報１０２を所定位置に表示するように決定する。一方、映像に重畳させて表示させない場合は、特定した映像が表示されない位置を詳細情報１０３の表示位置とするように決定する。
【００９１】
サイズ設定部５７は、表示位置決定部５４によって特定された表示画面上に映像が表示されない領域の大きさに応じて、表示位置決定部５４によって決定された表示位置に表示させるロゴ１００・・・それぞれのサイズを設定するものである。サイズ設定部５７は、設定したサイズにてロゴ１００・・・それぞれを表示する表示データを生成するようにＥＰＧ／ＯＳＤ予約処理部２４に指示する。
【００９２】
メニュー内容決定部５５は、映像信号の取得経路、つまり地上波放送としてテレビ局から配信された映像信号であるのか、通信ネットワークを介して映像配信業者から配信されたＩＰ放送の映像信号であるのか、あるいは、外部機器から入力された映像信号であるのかを示す情報をビデオセレクタ部１７から受信すると、受信した映像信号の配信元に応じたメニュー画面を表示するようにＥＰＧ／ＯＳＤ予約処理部２４に指示するものである。
【００９３】
輝度調整部５６は、指示受信部５１から受信したユーザからの指示に応じて、液晶表示装置７のバックライトから照射される光量を調整するように制御するものである。ただし、自動でバックライトの光量を調整するように設定されている場合は、不図示のＯＰＣ（Organic Photoconductor）によって検出された周囲光の照度の検出結果に応じて、バックライトの光量調整を行う。
【００９４】
なお、デジタルテレビ１の各ブロック、特にＰＯＰ表示制御部５０が有する、指示受信部５１，表示パターン決定部５２，詳細情報出力決定部５３，表示位置決定部５４，メニュー内容決定部５５，および輝度調整部５６は、ハードウェアロジックによって構成してもよいし、次のようにＣＰＵを用いてソフトウェアによって実現してもよい。
【００９５】
すなわち、デジタルテレビ１は、各機能を実現する制御プログラムの命令を実行するＣＰＵ３０、上記プログラムを格納したＲＯＭ（read only memory）、上記プログラムを展開するＲＡＭ（random access memory）、上記プログラムおよび各種データを格納するメモリ２８等の記憶装置（記録媒体）などを備えている。
【００９６】
そして、本発明の目的は、上述した機能を実現するソフトウェアであるデジタルテレビ１の制御プログラムのプログラムコード（実行形式プログラム、中間コードプログラム、ソースプログラム）をコンピュータ（ＣＰＵ３０）で読取り可能に記録した記録媒体を、上記デジタルテレビ１に供給し、ＣＰＵ３０が記録媒体に記録されているプログラムコードを読み出し実行することによっても、達成可能である。
【００９７】
また、デジタルテレビ１を通信ネットワークと接続可能に構成し、上記プログラムコードを、通信ネットワークを介して供給する構成としてもよい。なお、本発明は、上記プログラムコードが電子的な伝送で具現化された、搬送波に埋め込まれたコンピュータデータ信号の形態でも実現され得る。
【００９８】
（ユーザによる設定処理）
まず、上記したソフトウェア構成を有するデジタルテレビ１において、ユーザからの操作指示による各種設定処理について説明する。
【００９９】
本実施の形態に係るデジタルテレビ１では、上述したように、ユーザがリモートコントローラ５を操作して、液晶表示装置７のバックライトから照射される光量を調整できるようになっている。すなわち、リモートコントローラ５を操作して、バックライトの光量を指定する情報を入力すると、その情報を指示受信部５１が受信する。そして、指示受信部５１は、受信した情報を輝度調整部５６に出力する。輝度調整部５６は、受信した情報に応じて、液晶表示装置７のバックライトから照射される光量の大きさを調整するように液晶表示装置７を制御する。このように、バックライトから照射される光量の大きさを調整することができるため、本実施のデジタルテレビ１が店頭に陳列された際、店内の明るさに応じて調整することができる。
【０１００】
また、デジタルテレビ１では、上述のように、ユーザがリモートコントローラ５を操作して、表示されているロゴ１００の選択枠１０１を移動させるタイミングを変更することができる。すなわち、デジタルテレビ１では、図２に示すようにロゴ１００・・・が表示画面上の所定位置に配置され、選択状態にあるロゴ１００は枠（選択枠１０１）で囲まれるように表示されている（選択表示）。そして、リモートコントローラ５によって決定キーが入力されたとき、選択枠１０１で囲まれているロゴ１００に対応する詳細情報１０２が表示されるようになっている。
【０１０１】
この選択枠１０１は自動的に一定のタイミングで次のロゴに移動するようになっているが、この移動するタイミングを、ユーザがリモートコントローラ５を操作して変更することができるようになっている。すなわち、リモートコントローラ５を操作して、選択枠１０１の移動タイミングについての情報を入力すると、該情報を指示受信部５１が受信する。そして、この指示受信部５１が受信した情報に応じて、表示パターン決定部５２が、選択枠１０１の移動タイミングを変更させて表示するようにＥＰＧ／ＯＳＤ予約処理部２４に指示する。
【０１０２】
このようにリモートコントローラ５からの操作により選択枠１０１の移動タイミングを変更することができるため、店頭陳列時に、店内の客層に応じて適切なタイミングを設定することができる。
【０１０３】
なお、ロゴ１００の表示に関してリモートコントローラ５を操作して変更できる内容は、選択枠１０１の移動タイミングに限定されるものではない。例えば、ロゴ１００の選択状態を示す表示を選択枠１０１で示す代わりに、選択されているロゴ１００の表示を点滅するように変更してもよい。また、いくつかのロゴ１００・・・については固定配置とし、それ以外のロゴ１００・・・において、選択枠１０１がスクロールされるように表示を変更してもよい。
【０１０４】
さらにまた、デジタルテレビ１では、ロゴ１００を選択した際に該ロゴ１００に対応する詳細情報１０２が出力される構成であるが、この出力される詳細情報１０２の言語を、リモートコントローラ５を操作して選択できるようになっている。例えば、図２の例では、この詳細情報１０２の言語が英語に設定されている。このように、詳細情報１０２に利用する言語をリモートコントローラ５によって切り替えることができる。このため、このデジタルテレビ１は、日本国内に在住する外国人であっても容易に機能な特徴を知ることができる。また、海外向けにわざわざその国の言語仕様にあわせたデジタルテレビ１を生産する必要がなく、その生産の効率性を高めることができる。
【０１０５】
以上のように、本実施の形態に係るデジタルテレビ１は、上述したような各種設定をリモートコントローラ５からの操作指示により柔軟に変更できる。
【０１０６】
ところで、本実施の形態に係るデジタルテレビ１では、ＰＯＰ表示（ロゴ１００・・・）の表示位置およびロゴ１００に対応する詳細情報１０２の表示位置を、入力された映像信号に応じて決定することができるように構成されている。以下において、上記表示位置の決定処理について説明する。
【０１０７】
（ＰＯＰ表示および詳細情報の表示位置決定処理）
表示する映像信号の本来の表示アスペクト比と、映像信号を表示する液晶表示装置７の表示画面のアスペクト比とが一致しない場合がある。一致しない場合は、液晶表示装置７の表示画面において映像が表示される領域と、映像が表示されず黒色で表される領域とが生じる。本実施の形態に係るデジタルテレビ１は、この映像が表示されない領域を特定し、該領域にＰＯＰ表示する、すなわちロゴ１００・・・を配するように構成されている。さらにまた、ロゴ１００が選択されると、該ロゴ１００に対応する詳細情報１０２が、映像が表示されない、ＰＯＰ表示されている領域とは別の領域に表示される。
【０１０８】
より具体的には、ビデオセレクタ部１７から映像信号が映像処理部１８に入力されると、映像処理部１８が映像信号に含まれるコードを読取り、該映像信号の表示アスペクト比に関する情報を取得する。そして、この映像処理部１８が取得した表示アスペクト比に関する情報を、表示位置決定部５４が受信する。
【０１０９】
そして、表示位置決定部５４は、受信した映像信号の表示アスペクト比と液晶表示装置７の表示アスペクト比とを比較し、液晶表示装置７の表示画面において映像が表示されない領域を特定する。
【０１１０】
表示位置決定部５４は、映像が表示されない領域を特定すると、この情報をＥＰＧ／ＯＳＤ予約処理部２４に送信する。ＥＰＧ／ＯＳＤ予約処理部２４は、映像が表示されない領域に関する情報を受信すると、その領域にＯＳＤ表示機能によって表示するロゴ１００・・・の表示レイアウトを決定する。そして、この決定した表示レイアウトとでロゴ１００・・・が配置されたＯＳＤ表示データを作成し出力する。
【０１１１】
なお、ＰＯＰ表示および詳細情報１０２の表示レイアウト例としては、以下の例が挙げられる。
【０１１２】
例えば、液晶表示装置７の表示画面の表示アスペクト比が４：３で、デジタル放送等の表示アスペクト比が１６：９となる映像を表示する場合、上述した図２に示すように、映像が表示されない領域として、表示画面の上下の領域が形成される。そこで、表示位置決定部５４がこれら上下の領域を特定し、ＥＰＧ／ＯＳＤ予約処理部２４が、これらの領域上に、ＰＯＰ表示（ロゴ１００・・・）および詳細情報１０２を配置する表示レイアウトとなるようにＯＳＤ表示データを作成する。
【０１１３】
この場合には、入力される映像の表示アスペクト比１６：９、すなわち入力される映像の元の映像サイズを維持した画像を視聴しながらＰＯＰを表示できる。
【０１１４】
なお、映像が表示されない領域にロゴ１００・・・と詳細情報１０２とをともに配置して表示する構成ではなく、図５および図６に示すように、映像が表示されない領域にはロゴ１００・・・のみを配置し、詳細情報１０２は、ユーザからのロゴ１００に対する選択指示に応じて、映像上に重畳して表示するように構成されていてもよい。
【０１１５】
また、例えば、液晶表示装置７の表示画面の表示アスペクト比が１６：９で、アナログ放送等の表示アスペクト比が４：３となる映像を表示する場合、図７に示すように、映像が表示されない領域が、表示画面の左右に形成される。そこで、表示位置決定部５４がこの左右の領域を特定し、ＥＰＧ／ＯＳＤ予約処理部２４が、この領域の左側にＰＯＰ表示（ロゴ１００・・・）を、右側に詳細情報１０２を配置する表示レイアウトとなるようにＯＳＤ表示データを作成する。
【０１１６】
この場合には、入力される映像の表示アスペクト比４：３、すなわち入力される映像の元の映像サイズを維持した画像を視聴しながらＰＯＰを表示できる。
【０１１７】
あるいは、図８に示すように、表示アスペクト比が４：３となる映像を表示画面における右側に詰めて表示し、左側の映像が表示されない領域を表示位置決定部５４が特定し、ＥＰＧ／ＯＳＤ予約処理部２４が、この領域の上方に、ＰＯＰ表示を、下方に詳細情報１０２を配置示する表示レイアウトとなるようにＯＳＤ表示データを作成する。
【０１１８】
あるいは、映画等のシネマスコープサイズの映像データをそのままの表示アスペクト比で表示できるように、液晶表示装置７の表示画面の表示アスペクト比が例えば略２１：９となるように設計されたデジタルテレビ１では、ロゴ１００・・・、詳細情報１０２、および映像それぞれを図１１または図１２に示すように表示する構成とすることができる。
【０１１９】
すなわち、図１１に示すように、例えば、液晶表示装置７の表示画面の表示アスペクト比が２１：９で、表示アスペクト比が４：３となるアナログ放送の映像を表示させる場合、映像をそのままの表示アスペクト比で表示画面の左側に詰めて表示する。そして、右側の映像が表示されない領域を表示位置決定部５４が特定し、ＥＰＧ／ＯＳＤ予約処理部２４が、この領域の上方に、ロゴ１００・・・を、下方に詳細情報１０２を配置示する表示レイアウトとなるようにＯＳＤ表示データを作成する構成とすることもできる。
【０１２０】
このような構成の場合、スケーリング処理を施すことなく、そのままの表示アスペクト比で出力された映像を視聴しながら、ＰＯＰ表示、すなわち、ロゴ１００・・・および詳細情報１０２を確認することができる。
【０１２１】
あるいは、図１２に示すように、例えば、液晶表示装置７の表示画面の表示アスペクト比が２１：９で、表示アスペクト比が１６：９となる２つの映像を表示させる場合、２つの映像をそのままの表示アスペクトで表示画面の下方部に並べて表示し、表示画面の上方部に形成された映像が表示されない領域にロゴ１００・・・を表示させる構成としてもよい。
【０１２２】
つまり、表示位置決定部５４が上方部の映像が表示されない領域を特定し、この領域をロゴ１００・・・の表示位置と決定する。そして、ＥＰＧ／ＯＳＤ予約処理部２４が、この決定された位置にロゴ１００・・・を表示するように、表示データを作成する。
【０１２３】
なお、デジタルテレビ１では、例えば、表示領域で２つの映像を並べて表示させる機能である、ピクチャ・バイ・ピクチャ（ＰＢＰ）機能を用いることで上記したように２つの映像を同時に表示させることができる。
【０１２４】
このような構成の場合、スケーリング処理を施すことなく、そのままの表示アスペクト比で出力された２つの映像を視聴しながら、ＰＯＰ表示、すなわちロゴ１００・・・を確認することができる。
【０１２５】
以上のように、本実施の形態に係るデジタルテレビ１では、表示位置決定部５４が、映像が表示されない、表示画面上の領域を決定する。また、ＥＰＧ／ＯＳＤ予約処理部２４が、この決定に基づき、上記領域内に、ＰＯＰ表示および／または詳細情報１０２を配置する表示レイアウトとなるようにＯＳＤ表示データを作成する。このため、映像を遮るような表示状態とならないように、ロゴ１００・・・または詳細情報１０２を配置することができる。
【０１２６】
なお、表示位置の決定処理は、上述のように映像信号の表示アスペクト比と液晶表示装置７の表示アスペクト比とによって決定する構成に限定されるものではない。例えば、ビデオデコード／キャプチャ部１６によって映像信号の静止画像をキャプチャし、映像処理部１８が、キャプチャした静止画像から表示画像の構成内容を把握し、該構成内容に応じてＰＯＰ表示および詳細情報１０２の表示位置を決定する構成とすることもできる。
【０１２７】
より具体的には、ビデオデコード／キャプチャ部１６は、分離部１５から分離された映像信号から、該映像信号に含まれるビデオ情報を静止画としてキャプチャする。このキャプチャされた静止画を、ビデオセレクタ部１７を通じて映像処理部１８が受信する。映像処理部１８が入力された映像信号が野球等のスポーツ番組であると判断した場合、この静止画に対して、スコアの表示部分をパターンマッチングにより検出し、スコアが記載されている領域に関する情報を表示位置決定部５４に送信する。
【０１２８】
表示位置決定部５４は、受信したスコアが記載されている領域に関する情報に基づき、ＰＯＰ表示および詳細情報１０２が重ならない位置を決定し、決定した位置をＥＰＧ／ＯＳＤ予約処理部２４に指示する。ＥＰＧ／ＯＳＤ予約処理部２４は、表示位置決定部５４からの指示に応じて、ＰＯＰ表示および詳細情報１０２の表示レイアウトを特定し、ＯＳＤ表示データを作成する。
【０１２９】
なお、映像処理部１８は入力された映像信号が野球等のスポーツ番組であるか否かについては、例えば、地上波デジタル放送の放送信号に含まれるジャンル情報に基づき把握できる。なお、映像信号がスポーツ番組であるか否かに関しては、ジャンル情報に基づき把握する構成に限定されるものではなく、例えば、電子番組表に基づき把握する構成であってもよい。
【０１３０】
このように本実施の形態に係るデジタルテレビ１では、上述したスポーツ番組におけるスコアのように、常時、表示しておくことが所望される重要な情報が映像データに含まれている場合、その情報をＰＯＰ表示により遮ってしまうことを防ぐことができる。
【０１３１】
また、上記では、スコア部分にロゴ１００・・・および詳細情報１０２を重畳して表示させない構成であるが、この重畳して表示させない領域はスコア部分に限定されるものではない。例えば、緊急速報等のテロップが表示される場合、このテロップ部分の領域を映像処理部１８が検出し、この領域に関する情報を表示位置決定部５４に送信する構成であってもよい。
【０１３２】
（ＰＯＰ表示におけるロゴ配置関係決定処理）
また、本実施の形態に係るデジタルテレビ１では、デジタル放送により配信された放送信号を受信した場合、この放送信号からジャンル情報を取得し、該ジャンル情報に応じたロゴ１００を優先的に配置したＰＯＰ表示を作成することもできる構成でもある。なお、ＰＯＰ表示において優先的にロゴ１００を配置するとは、選択表示を示す選択枠１０１によって優先的に選択されている等、ユーザがそのロゴ１００を他のロゴ１００よりもより選択しやすい表示状態となるように配置することである。例えば、上記ジャンル情報がスポーツである場合、表示される映像は動きの早いものとなる。そこで、図８に示すように、高速表示に対応した特徴を示す「Ｆｒａｍｅ  Ｒａｔｅ  Ｃｏｎｖｅｒｔｅｒ  １２０ＨＺ」のロゴ１００が優先的に選択枠１０１で囲まれた表示となるように、各ロゴ１００の配置と選択枠１０１の配置とを決める。
【０１３３】
より具体的には、デジタル放送の放送信号に含まれるジャンル情報を映像処理部１８が取得し、表示パターン決定部５２に出力する。表示パターン決定部５２は、ロゴ詳細情報対応テーブル６１を参照して、取得したジャンル情報から映像を最適に表示するために利用できる機能を示すロゴ１００を優先するように、各ロゴ１００の配置の優先順位を決定し、各ロゴ１００の配置の優先順位を示す情報をＥＰＧ／ＯＳＤ予約処理部２４に出力する。
【０１３４】
ＥＰＧ／ＯＳＤ予約処理部２４では、この表示パターン決定部５２から受信した優先順位にしたがって各ロゴ１００を配置したＰＯＰ表示の表示レイアウトを特定し、ＯＳＤ表示データを作成する。
【０１３５】
以上のように、本実施の形態に係るデジタルテレビ１では、表示する映像のジャンル情報に応じて、該映像を適切に表示するために利用できる機能を示すロゴ１００を優先的に選択し、詳細情報１０２を表示できるように、ＰＯＰ表示のＯＳＤ表示データを作成することができる。このため、ユーザは知りたい情報に関するロゴ１００を容易に見つけ出すことができ、またそのロゴ１００を選択することで詳細情報１０２を取得することができる。したがって、本実施の形態に係るデジタルテレビ１では、効率よくロゴ１００を選択することができる。
【０１３６】
なお、上記した「ＰＯＰ表示におけるロゴ配置関係決定処理」と「ＰＯＰ表示および詳細情報の表示位置決定処理」とを組み合わせ、ロゴ１００・・・が表示画面上における適切な領域に配置され、かつ現状において最も選択される可能性が高いロゴ１００に選択枠１０１が配されるように、ＰＯＰ表示のＯＳＤ表示データが作成されることが好ましい。
【０１３７】
（詳細情報の表示例）
また、以上のように表示される詳細情報１０２の内容としては、以下のような情報が挙げられる。
【０１３８】
例えば、液晶表示装置７の表示画面の大きさを示すインチ数（図５では４２インチ）を選択した場合に表示される詳細情報１０２としては、そのインチ数に応じた室内空間や適切な視聴距離に関する情報が挙げられる。
【０１３９】
また、例えば、ＨＤＭＩケーブル用端子数を示す「ＨＤＭＩ×５」を選択した場合に表示される詳細情報１０２としては、図６に示すように「映像劣化のないデジタル映像入力を５端子備えている」といった特徴を示す情報が挙げられる。また、この情報には接続できる機器例も一緒に列挙されている。
【０１４０】
また、例えば、低消費電力で駆動するように設計されていることを示す「Ｔｈｉｎｋ  Ｇｒｅｅｎ（登録商標）  低消費電力」を選択した場合に表示される詳細情報１０２としては、図７に示すように、「削減量の従来比、現在の消費電力」といった特徴を示す情報が挙げられる。
【０１４１】
また、例えば、１２０Ｈｚ駆動パネルが採用されていることを示す「Ｆｒａｍｅ  Ｒａｔｅ  Ｃｏｎｖｅｒｔｅｒ  １２０ＨＺ」を選択した場合に表示される詳細情報１０２としては、図８に示すように、「高速表示することができるため、スポーツ等動きの早い映像もスムーズに表示できる」といった特徴を示す情報が挙げられる。
【０１４２】
なお、「ＰＯＰ表示および詳細情報１０２の表示位置決定処理」では、液晶表示装置７の表示アスペクト比と、入力された映像信号の表示アスペクト比とを比較し、両者が異なる場合、映像が表示されない領域を特定し、この領域を利用してロゴ１００および／または詳細情報１０２を表示させるように配置する構成であった。また、この配置には、例えば図７と図８とのように、左の側面部にロゴ１００を、右の側部に詳細情報１０２をそれぞれ表示させるパターンや、一方の側部にロゴ１００と詳細情報１０２とを表示させるパターンなどいくつかの表示パターンが存在する。
【０１４３】
そこで、本実施の形態に係るデジタルテレビ１では、例えば、液晶表示装置７の表示アスペクト比と、入力された映像信号の表示アスペクト比とを比較し、両者が異なる場合、どの表示パターンでロゴ１００および詳細情報１０２を表示するか設定することができる。具体的には、図９に示すように、ＯＳＤ表示されているメニュー画面から、「本体設定」、「デモモード設定」と、デモモードにおける各種機能の設定画面を呼び出す。そして、デモモード設定画面において、どのような表示パターンでロゴ１００および詳細情報１０２を表示させるのか表示パターンＡ、・・・の横にあるラジオボタンによって、ユーザは設定することができる。
【０１４４】
なお、ロゴ表示を行うか否かについても、この「デモモード設定」画面を利用して設定できるようになっている。
【０１４５】
なお、本実施の形態に係るデジタルテレビ１では、映像が表示されない領域がある場合、少なくともこの領域にロゴ１００・・・を表示させる構成であった。しかしながら、この映像が表示されない領域が小さい場合、ロゴ１００・・・の視認性の低下を抑えるため、ロゴ１００・・・を映像が表示される領域上に重畳するように配置するように構成されている。ただし、表示する映像が、スポーツ番組等である場合、スコア表示部分にロゴ１００・・・および詳細情報１０２の表示が重ならないように配置する構成である。なお、このように、映像の表示領域上にロゴ１００・・・を重畳させて表示させる場合、ロゴ１００・・・は、映像の内容がロゴ１００を透過して見えるように、透過性のある表示形態とすることが好ましい。
【０１４６】
また、ロゴ１００・・・において、その対応する詳細情報１０２が存在しない場合も想定される。このような場合、詳細情報１０２が対応付けられているロゴ１００・・・とは区別できるように、対応する詳細情報１０２が存在しないロゴ１００・・・については、表示形態を変更して表示させる構成であってもよい。例えば、対応する詳細情報１０２がないロゴ１００・・・については表示色を通常のロゴ１００と異なる色としたり、ロゴ１００に目印となるマークを付したりする。
【０１４７】
このように、対応する詳細情報１０２が存在するロゴ１００と存在しないロゴ１００とを表示上で区別できるように構成する場合、対応する詳細情報１０２が存在しないにも関わらずロゴ１００をユーザが選択するといった無駄な操作を防止することができる。
【０１４８】
また、本実施の形態に係るデジタルテレビ１では、詳細情報１０２をテキスト形式で表示する構成であったが、詳細情報１０２の出力形態はこれに限定されるものではない。例えば、上記詳細情報１０２がテキスト形式で出力されるとともに、音声データでも出力されるように構成されていてもよい。
【０１４９】
このように構成される場合、メモリ２８には詳細情報１０２の内容を示す音声データを、該詳細情報１０２と対応づけて予め記憶しておく。そして、特定のロゴ１００が選択されると、詳細情報出力決定部５３は、このロゴ１００に対応する詳細情報１０２を決定し、この詳細情報１０２をテキスト形式で表示するようにＥＰＧ／ＯＳＤ予約処理部２４に指示する。その際、詳細情報出力決定部５３は、この詳細情報１０２の音声データをメモリ２８から読出し、音声出力制御部２２に出力する。このようにして、テキスト形式のみならず、音声としても詳細情報１０２を出力することができるため、ユーザは詳細情報１０２をより効果的に把握することができる。なお、音声出力制御部２２とスピーカ８とによって本発明の音声出力手段を実現できる。
【０１５０】
また、本実施の形態に係るデジタルテレビ１では、ＯＳＤ表示されたメニュー画面から、デモモード設定画面を選択しデモモードの設定を行うことで、ロゴ１００・・・および詳細情報１０２の表示を行う構成であった。しかしながら、ロゴ１００・・・および詳細情報１０２の表示トリガはこれに限定されるものではない。
【０１５１】
例えば、外部機器が、ＯＳＤ用画像データ６０およびロゴ詳細情報対応テーブル６１を格納したＵＳＢメモリであり、このＵＳＢメモリがデジタルテレビ１に接続されたことをトリガとして、このメモリ内にあるＯＳＤ用画像データ６０、およびロゴ詳細情報対応テーブル６１を利用して、ロゴ１００・・・および詳細情報１０２をＯＳＤ表示する構成としてもよい。
【０１５２】
あるいは、光ディスク３１にＯＳＤ用画像データ６０およびロゴ詳細情報対応テーブル６１を格納しており、この光ディスク３１が記録／再生部４により読み取られたことをトリガにして、光ディスク３１の記憶領域に記憶されたＯＳＤ用画像データ６０、およびロゴ詳細情報対応テーブル６１を利用して、ロゴ１００・・・および詳細情報１０２をＯＳＤ表示する構成としてもよい。
【０１５３】
また、上記光ディスク３１は、ＯＳＤ用画像データ６０およびロゴ詳細情報対応テーブル６１を格納する専用の記録媒体であってもよいし、映画等の映像データが記憶されており、映像データが記録されていない余白部分の記憶領域にＯＳＤ用画像データ６０およびロゴ詳細情報対応テーブル６１が格納されているものであってもよい。
【０１５４】
また、上述のように、光ディスク３１等の記録媒体にＯＳＤ用画像データ６０およびロゴ詳細情報対応テーブル６１が格納されている場合、図１３に示すように、光ディスク３１から記録／再生部４が読み出したＯＳＤ用画像データ８０およびロゴ詳細情報対応テーブル６１を利用して、ＰＯＰ表示制御部５０が上記「ＰＯＰ表示処理」を実行する。尚、本実施の形態にかかるデジタルテレビ１では、ＯＳＤ用画像データ６０およびロゴ詳細情報対応テーブル６１を記録する記録媒体の例として光ディスク３１を挙げて説明したが、この記録媒体は、これに限定されるものではない。例えば、磁気ディスクや磁気テープ、光磁気ディスクのような記録媒体であっても良い。
【０１５５】
また、本実施の形態に係るデジタルテレビ１では、表示されているロゴ１００・・・の中から特定のロゴ１００を選択することで、このロゴ１００に対応する詳細情報１０２を出力する構成であった。しかしながら、詳細情報１０２の出力はこのような構成に限定されるものではなく、例えば、外部機器がＤＶＤレコーダであった場合、このＤＶＤレコーダにおいてＤＶＤが載置されると、ＤＶＤレコーダの読取り作業に関連するロゴ１００・・・の詳細情報を自動的に表示するように構成していてもよい。
【０１５６】
また、本実施の形態に係るデジタルテレビ１にように、光ディスク３１の記録再生を行う記録／再生部４が内蔵されているテレビの場合、外観からでは、顧客は光ディスク３１の記録再生機能がデジタルテレビ１に備わっていることを知ることができない。また、光ディスク３１の記録再生機能が備わっていることを把握していても、光ディスク３１の差込位置や、使用可能なディスクの種別が分からないといった事態が想定される。
【０１５７】
そこで、図１４に示すように、記録、再生可能な光ディスク３１の種類とその差込位置を示すロゴ１００も含めて表示する構成であってもよい。このように構成されている場合、この、記録、再生可能な光ディスク３１の種類とその差込位置を示すロゴ１００によって、顧客は、光ディスク３１の記録、再生を実行できるデジタルテレビ１であるということを前面側から一目で把握することができる。さらには、光ディスク３１の挿入口や利用可能な光ディスク３１の種類をデジタルテレビの画面を眺めるだけで把握することができる。
【０１５８】
また、本実施の形態に係るデジタルテレビ１にけるロゴ１００の表示レイアウトは、上述した図２、５〜８に示す表示レイアウトに限定されるものではなく、例えば、図１０に示すようにリモートコントローラ５が有する操作キー（テンキー）の配列位置と相対的位置関係が同じ位置になるように、デジタルテレビ１の画面上にＯＳＤ表示し、リモートコントローラ５の表示ボタンの位置と対応する位置にロゴ１００・・・が配置される構成であってもよい。
【０１５９】
ロゴ１００・・・がこのように表示される構成の場合、ユーザは、選択枠１０１によって選択状態にあるロゴ１００を選択するためのキーがリモートコントローラ５のどのキーであるのか直感的に把握することができる。このような構成の場合、操作者（ユーザ）が画面上に表示されたロゴ１００・・・に対応するリモートコントローラ５の番号を押下することでその機能の詳細情報を画面上で確認することができる。
【０１６０】
上述したように、本実施の形態に係るデジタルテレビ１では、ロゴ１００・・・および詳細情報１０２の表示位置を自動的に決定する構成であるが、これらの表示位置をユーザがマニュアルで決定する構成であってもよい。
【０１６１】
また、表示されているロゴ１００・・・または詳細情報１０２が、映像上に重畳されており、これらの表示位置についてユーザが邪魔だと判断した場合、リモートコントローラ５からの操作指示により、これらロゴ１００・・・および詳細情報の一部または全部を別の表示位置に移動させることがでる構成であってもよい。
【０１６２】
また、本実施の形態に係るデジタルテレビ１では、入力信号がデジタル放送、アナログ放送、あるいはＩＰ放送であるかに応じて、メニュー画面の表示内容を変更するように構成されていてもよい。例えば、ＩＰ放送で提供された映像信号の場合、そのメニュー画面には、ＩＰ放送に特化した情報が含まれるように表示内容が変更されてもよい。ＩＰ放送に特化した情報とは、例えば、通信ネットワークを介して映像コンテンツを配信するサービスプロバイダのホームページ等の情報が挙げられる。
【０１６３】
このように、入力信号に応じて、メニュー画面の表示内容を変更することができるように構成することで、必要な情報を動的に提供することができるためデジタルテレビ１の操作性を向上させることができる。
【０１６４】
また、本実施の形態に係るデジタルテレビ１では、上述したように、映像信号の表示アスペクト比と表示画面の表示アスペクト比が異なる場合、映像が表示されない領域にロゴ１００・・・および詳細情報１０２を表示する構成であった。さらには、映像がスポーツ番組等である場合、スコア表示といった重要な情報を含む表示領域に、ロゴ１００・・・および詳細情報１０２が重畳しないように表示させる構成でもあった。また、上述の例では、ロゴ１００・・・等の表示位置は、表示画面の左右の端部領域または上下の端部領域であったが、重要な情報を遮らない限り表示画面の中央に表示される構成であってもよい。
【０１６５】
しかしながら、映像が表示されない領域にロゴ１００・・・または詳細情報１０２を表示する構成の方が、これらロゴ１００・・・により映像の表示が遮られる範囲を低減させることができるため有利である。
【０１６６】
また、本実施の形態に係るデジタルテレビ１では、上述したように、選択したロゴ１００に対応する詳細情報１０２を表示する構成であったが、選択できるロゴ１００は一つに限定されるものではない。つまり、同時に複数のロゴ１００・・・を選択し、該ロゴ１００・・・それぞれに対応する詳細情報１０２・・・が表示される構成であってもよい。
【０１６７】
上述のように本実施の形態に係るデジタルテレビ１では、リモートコントローラ５からの操作指示により、特定のロゴ１００を選択し、該ロゴ１００の詳細情報１０２を表示することができる。このため、ユーザは、販売店等でデジタルテレビを選ぶ際、リモートコントローラ５による簡易な操作で、デジタルテレビが有する機能を表示画面で確認することができる。つまり、商品カタログを読んだり、店員による説明を受けたりしなくてもデジタルテレビの特徴を知ることができる。特に、商品カタログを不要とすることができるため、カタログ制作費や廃棄カタログのリサイクル費用を削減することができ、ひいては、環境負荷の低減にも効果がある。
【０１６８】
また、上述のように、出力される詳細情報１０２の言語を、リモートコントローラ５を操作して選択できる構成である。このため、使用言語が異なる為、詳細情報１０２を理解できない場合、ユーザはこの詳細情報１０２を記述する言語を変更することができる。このように、リモートコントローラ５を操作して、詳細情報１０２の言語を容易に変更することができるため、ユーザは詳細情報１０２の内容を理解することができる。
【０１６９】
また、デジタルテレビ１の特徴を示すロゴ１００と該ロゴ１００に対応する詳細情報１０２とを電子データで取り扱うことができるため、この電子データを、インターネットを経由して閲覧できるＷｅｂサイトにおいても利用できるようにしておけば、オンラインショッピングのようにインターネット経由で商品を買う場合にも、デジタルテレビの特徴についてユーザ（顧客）は知ることができる。
【０１７０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１７１】
入力された映像信号に応じて適切な位置に識別子およびその識別子によって象徴された特徴に関する説明情報とを示すことができるため、表示装置において映像を流しながら、該表示装置が有する機能を紹介する技術全般に利用できる。
【図面の簡単な説明】
【０１７２】
【図１】本発明の実施形態を示すものであり、ＰＯＰ表示処理に係るソフトウェア構成を示すブロック図である。
【図２】本発明の実施形態を示すものであり、デジタルテレビの表示画面上におけるロゴおよび詳細情報の表示形式の一例を示す図である。
【図３】本発明の実施形態を示すものであり、デジタルテレビの要部構成を示すブロック図である。
【図４】本発明の実施形態を示すものであり、ロゴ詳細情報対応テーブルのデータ構造の一例を示す図である。
【図５】本発明の実施形態を示すものであり、デジタルテレビの表示画面上におけるロゴおよび詳細情報の表示形式の一例を示す図である。
【図６】本発明の実施形態を示すものであり、デジタルテレビの表示画面上におけるロゴおよび詳細情報の表示形式の一例を示す図である。
【図７】本発明の実施形態を示すものであり、デジタルテレビの表示画面上におけるロゴおよび詳細情報の表示形式の一例を示す図である。
【図８】本発明の実施形態を示すものであり、デジタルテレビの表示画面上におけるロゴおよび詳細情報の表示形式の一例を示す図である。
【図９】本発明の実施形態を示すものであり、デモモード設定画面の一例を示す図である。
【図１０】本発明の実施形態を示すものであり、デジタルテレビの表示画面上におけるロゴおよび詳細情報の表示形式の一例を示す図である。
【図１１】本発明の実施形態を示すものであり、デジタルテレビの表示画面上におけるロゴおよび詳細情報の表示形式の一例を示す図である。
【図１２】本発明の実施形態を示すものであり、デジタルテレビの表示画面上におけるロゴの表示形式の一例を示す図である。
【図１３】本発明の他の実施形態を示すものであり、ＰＯＰ表示処理に係るソフトウェア構成を示すブロック図である。
【図１４】本発明の実施形態を示すものであり、デジタルテレビの表示画面上におけるロゴの表示形式の一例を示す図である。
【符号の説明】
【０１７３】
１    デジタルテレビ（表示装置）
４    記録/再生部
５    リモートコントローラ
７    液晶表示装置（表示部）
８    スピーカ（音声出力部）
１６  ビデオデコード／キャプチャ部
１７  セレクタ部
１８  映像処理部（取得部・探索部）
１９  表示制御部（表示部）
２０  オーディオデコード部
２１  オーディオセレクタ部
２２  音声出力制御部（音声出力部）
２４  ＥＰＧ／ＯＳＤ予約処理部（生成部）
２８  メモリ（記憶部）
３０  ＣＰＵ
３１  光ディスク（記憶部）
５０  ＰＯＰ表示制御部（受信手段・決定手段・サイズ設定手段・説明情報決定手段・識別子配置決定手段）
５１  指示受信部（受信手段）
５２  表示パターン決定部（識別子配置決定手段）
５３  詳細情報出力決定部（説明情報決定手段）
５４  表示位置決定部（決定手段）
５５  メニュー内容決定部
５７  サイズ設定部（サイズ設定手段）
６１  ロゴ詳細情報対応テーブル（テーブル情報）
１００  ロゴ（識別子）
１０１  選択枠
１０２  詳細情報（説明情報）
【図１】
2010107909.tif 000003
【図２】
2010107909.tif 000004
【図３】
2010107909.tif 000005
【図４】
2010107909.tif 000006
【図５】
2010107909.tif 000007
【図６】
2010107909.tif 000008
【図７】
2010107909.tif 000009
【図８】
2010107909.tif 000010
【図９】
2010107909.tif 000011
【図１０】
2010107909.tif 000012
【図１１】
2010107909.tif 000013
【図１２】
2010107909.tif 000014
【図１３】
2010107909.tif 000015
【図１４】
2010107909.tif 000016